【手続補正書】
【提出日】平成16年9月9日(2004.9.9)
【手続補正１】
【補正対象書類名】明細書
【補正対象項目名】特許請求の範囲
【補正方法】変更
【補正の内容】
【特許請求の範囲】
【請求項１】
遊技媒体を用いて所定の遊技を行うことが可能であり、所定の払出条件が成立したことにもとづいて遊技媒体を払い出す遊技機であって、
前記遊技媒体の払い出しを行う払出手段と、
前記払出手段により払い出された遊技媒体を検出する払出遊技媒体検出手段と、
遊技機への電力供給が停止しても所定期間は記憶内容を保持することが可能であり、前記払出条件の成立にもとづいて払い出すべき遊技媒体数のうち未だ払い出されていない未払出数を特定可能な未払出数データを記憶する変動データ記憶手段と、
遊技の進行を制御する遊技制御手段と、
前記遊技制御手段からのコマンドにもとづいて前記払出手段の制御を行う払出制御手段と、
遊技機で用いられる所定の電源の状態を監視して、遊技機への電力の供給停止にかかわる検出条件が成立したときに検出信号を出力する電源監視手段と、
前記電源監視手段によって前記検出信号が出力された後少なくとも所定の検出維持期間が経過するまでの期間において前記払出遊技媒体検出手段による遊技媒体の検出を可能な状態とするために、当該払出遊技媒体検出手段、前記遊技制御手段および前記払出制御手段に電力を供給可能な補助電力供給手段と、
遊技機への電力供給が開始したときに、前記遊技制御手段が遊技に関わる制御が可能な状態になる時期を、前記払出制御手段が前記払出手段の制御が可能な状態になる時期よりも遅い時期となるように規制する起動順序規制手段とを備え、
前記遊技制御手段および前記払出制御手段は、
前記払出遊技媒体検出手段からの検出信号を入力する検出信号入力処理と、前記検出信号入力処理の結果を示すデータにもとづいて前記未払出数データを更新する処理とを行い、
前記電源監視手段からの検出信号に応じて制御状態を復旧させるために必要なデータを前記変動データ記憶手段に保存するための電力供給停止時処理を実行し、電力供給が復帰し所定の復旧条件が成立したときに前記変動データ記憶手段に保存されていた記憶内容にもとづいて制御状態を電力供給が停止する前の状態に復旧させる復旧処理を実行可能であり、前記電力供給停止時処理にて、前記補助電力供給手段から電力が供給される前記払出遊技媒体検出手段からの検出信号の入力処理を行い、前記所定の復旧条件が成立しなかったときには制御状態を初期化する初期化処理を実行し、
前記払出制御手段は、電力供給が開始され前記復旧処理を実行するときおよび電力供給が開始され前記初期化処理を実行するときのいずれのときにおいても、遊技媒体の払い出しを禁止する払出禁止状態に制御し、前記遊技制御手段からの所定のコマンドの受信に応じて払出禁止状態を解除し、
前記遊技制御手段および前記払出制御手段は、前記電力供給停止時処理にて前記払出遊技媒体検出手段からの検出信号の入力処理の結果を示すデータを前記変動データ記憶手段に保存し、前記復旧処理にて前記入力処理の結果を示すデータにもとづいて前記未払出数データを更新する処理を実行する
ことを特徴とする遊技機。
【請求項２】
払出制御手段は、電力供給が復帰したときには、電力供給が停止する前の制御状態に復旧させるか否かを決定するための複数の復旧条件がすべて成立したときに、変動データ記憶手段に保存されていた記憶内容にもとづいて制御状態を復旧させる復旧処理を実行し、前記複数の復旧条件のうち少なくとも１つの条件が不成立であったときに初期化処理を実行する
請求項１記載の遊技機。
【請求項３】
払出制御手段からの信号を出力するための出力ポートを含み、
前記払出制御手段は、電力供給停止時処理にて、前記出力ポートの出力状態を初期化する出力ポートクリア処理を実行した後、払出遊技媒体検出手段からの検出信号の入力処理を行う
請求項１または請求項２記載の遊技機。
【請求項４】
払出制御手段は、電力供給停止時処理にて、払出遊技媒体検出手段からの検出信号の入力処理を実行した後、変動データ記憶手段へのアクセスを禁止する処理を実行する
請求項１から請求項３のうちのいずれかに記載の遊技機。
【請求項５】
検出維持期間は、払出手段により払い出された払出遊技媒体が払出遊技媒体検出手段の検出位置に到達するまでの期間以上の期間に設定される
請求項１から請求項４のうちのいずれかに記載の遊技機。
【請求項６】
遊技制御手段は、復旧処理にて、遊技媒体の払い出しを禁止するか許可するかを指定する払出状態指定コマンドを、払出制御手段に対して送信する
請求項１から請求項５のうちのいずれかに記載の遊技機。
【請求項７】
遊技制御手段は、初期化処理または復旧処理を実行した後、所定の払出禁止条件が成立したときに遊技媒体の払出を禁止することを指示する払出禁止状態指定コマンドを送信し、
払出禁止条件は複数設けられ、
遊技制御手段は、複数の払出禁止条件について共通の払出禁止状態指定コマンドを送信する
請求項１から請求項６のうちのいずれかに記載の遊技機。
【請求項８】
遊技制御手段は、複数の払出禁止条件のうちいずれか一つの条件が成立したときに払出禁止状態指定コマンドを送信し、払出禁止条件が解除され、いずれの払出禁止条件も成立していない状態になったときに、複数の払出禁止条件のうちいずれの条件が成立していたかに関わらず、遊技媒体の払い出しを許可することを示す共通の払出許可状態指定コマンドを送信する
請求項７記載の遊技機。
【請求項９】
払い出された遊技媒体が貯留される貯留部に所定量以上の遊技媒体が貯留されているか否かを検出するための貯留状態検出手段を備え、
払出禁止条件は、前記貯留状態検出手段により前記貯留部に所定量以上の遊技媒体が貯留されているときに成立する条件を含む
請求項７または請求項８記載の遊技機。
【請求項１０】
払出手段に供給される遊技媒体が所定量以上確保されているか否かを検出するための遊技媒体切れ検出手段を含み、
払出禁止条件は、前記遊技媒体切れ検出手段により遊技媒体が所定量以上確保されていないことが検出されたときに成立する条件を含む
請求項７から請求項９のうちのいずれかに記載の遊技機。
【請求項１１】
払出遊技媒体検出手段の検出信号は、遊技制御手段と払出制御手段の双方に入力される
請求項１から請求項１０のうちのいずれかに記載の遊技機。
【請求項１２】
電源監視手段は、払出遊技媒体検出手段に供給される電源の電圧値よりも高い電圧値の電源を監視する
請求項１から請求項１１のうちのいずれかに記載の遊技機。
【請求項１３】
払出遊技媒体検出手段は、遊技領域に設けられた入賞領域に遊技媒体が入賞したことにもとづいて払出手段により払い出された景品としての景品遊技媒体、および貸出要求にもとづいて前記払出手段により払い出された遊技者に貸し出す貸出遊技媒体を検出し、
変動データ記憶手段は、未払出数データとして、前記入賞領域に遊技媒体が入賞したことにもとづいて払い出すべき景品遊技媒体数のうち未だ払い出されていない未払出数を特定可能な未払出景品遊技媒体数データと、前記貸出要求にもとづいて払い出すべき貸出遊技媒体数のうち未だ払い出されていない未払出数を特定可能な未払出貸出遊技媒体数データとを記憶し、
払出制御手段は、前記払出遊技媒体検出手段からの検出信号の入力処理を行うときに景品遊技媒体の払出中であるか否かを確認し、該確認結果に応じて前記未払出景品遊技媒体数データまたは前記未払出貸出遊技媒体数データを更新する処理を実行する
請求項１から請求項１２のうちいずれかに記載の遊技機。
【手続補正２】
【補正対象書類名】明細書
【補正対象項目名】００１４
【補正方法】変更
【補正の内容】
【００１４】
【課題を解決するための手段】
本発明による遊技機は、遊技媒体を用いて所定の遊技を行うことが可能であり、所定の払出条件（例えば、遊技領域に設けられた入賞領域への入賞があったときに成立する条件、スロットマシンにおいて予め定められた所定の表示態様での表示が表示装置になされたときに成立する条件、カードユニット５０からの球貸し要求があっとときに成立する条件）が成立したことにもとづいて遊技媒体を払い出す遊技機であって、遊技媒体の払い出しを行う払出手段（例えば球払出装置９７）と、払出手段により払い出された遊技媒体を検出する払出遊技媒体検出手段（例えば賞球カウントスイッチ３０１Ａ、球貸しカウントスイッチ３０１Ｂ）と、遊技機への電力供給が停止しても所定期間は記憶内容を保持することが可能であり、払出条件の成立にもとづいて払い出すべき遊技媒体数のうち未だ払い出されていない未払出数を特定可能な未払出数データ（例えば総賞球数格納バッファの格納値、賞球未払出カウンタ、貸し球未払出個数カウンタ）を記憶する変動データ記憶手段（例えば主基板３１が備える電源バックアップされたＲＡＭ５５や払出制御基板３７が備える電源バックアップされたＲＡＭ）と、遊技の進行を制御する遊技制御手段（例えば、ＣＰＵ５６等）と、遊技制御手段からのコマンドにもとづいて払出手段の制御を行う払出制御手段（例えば払出制御用ＣＰＵ３７１）と、遊技機で用いられる所定の電源の状態を監視して、遊技機への電力の供給停止にかかわる検出条件（例えば監視電圧であるＶSL（＋３０Ｖ）の電圧値が＋２２Ｖまで低下したときに成立する条件）が成立したときに検出信号（例えば電源断信号）を出力する電源監視手段（例えば電源監視用ＩＣ９０２）と、電源監視手段によって検出信号が出力された後少なくとも所定の検出維持期間（例えば、ステップＳ４６６やステップＳ８１６で設定される期間）が経過するまでの期間において払出遊技媒体検出手段による遊技媒体の検出を可能な状態とするために、当該払出遊技媒体検出手段、遊技制御手段および払出制御手段に電力を供給可能な補助電力供給手段（例えばコンデンサ９２３を備えるコンバータＩＣ９２０）と、遊技機への電力供給が開始したときに、遊技制御手段が遊技に関わる制御が可能な状態になる時期を、払出制御手段が払出手段の制御が可能な状態になる時期よりも遅い時期となるように規制する起動順序規制手段とを備え、遊技制御手段および払出制御手段が、払出遊技媒体検出手段からの検出信号を入力する検出信号入力処理と、検出信号入力処理の結果を示すデータにもとづいて未払出数データを更新する処理とを行い、電源監視手段からの検出信号に応じて制御状態を復旧させるために必要なデータ（例えばＣＰＵ５６や払出制御用ＣＰＵ３７１に用いられるレジスタのデータ等）を変動データ記憶手段に保存するための電力供給停止時処理（例えば図２２〜図２４に示す処理や図４９〜図５１に示す処理）を実行し、電力供給が復帰し所定の復旧条件（例えばステップＳ７〜ステップＳ９の条件やステップＳ７０７〜ステップＳ７０９の条件）が成立したときに変動データ記憶手段に保存されていた記憶内容にもとづいて制御状態を電力供給が停止する前の状態に復旧させる復旧処理（例えば図２０に示す遊技状���復旧処理や図４８に示す払出状態復旧処理）を実行可能であり、電力供給停止時処理にて、補助電力供給手段から電力が供給される払出遊技媒体検出手段からの検出信号の入力処理（例えば、図２３におけるステップＳ４６６〜ステップＳ４８６の処理、図５０におけるステップＳ８１６〜ステップＳ８２６の処理、図５０におけるステップＳ８２７〜ステップＳ８３４の処理）を行い、所定の復旧条件が成立しなかったときには制御状態を初期化する初期化処理（例えばステップＳ１１〜Ｓ１５やステップＳ７１１〜Ｓ７１４）を実行し、払出制御手段が、電力供給が開始され復旧処理を実行するときおよび電力供給が開始され初期化処理を実行するときのいずれのときにおいても、遊技媒体の払い出しを禁止する払出禁止状態に制御し（例えばステップＳ７１３やＳ７３２）、遊技制御手段からの所定のコマンド（例えば払出可能状態指定コマンド）の受信に応じて払出禁止状態を解除し（例えばステップＳ７５３ｄ）、遊技制御手段および払出制御手段が、電力供給停止時処理にて払出遊技媒体検出手段からの検出信号の入力処理の結果を示すデータを変動データ記憶手段に保存（例えばステップＳ８７２、ステップＳ８７３）し、復旧処理にて入力処理の結果を示すデータにもとづいて未払出数データを更新する処理（例えばステップＳ８８９、ステップＳ８９０）を実行することを特徴とする。
【手続補正３】
【補正対象書類名】明細書
【補正対象項目名】００１５
【補正方法】変更
【補正の内容】
【００１５】
払出制御手段が、電力供給が復帰したときには、電力供給が停止する前の制御状態に復旧させるか否かを決定するための複数の復旧条件（例えば、遊技制御手段におけるステップＳ７〜ステップＳ９の条件、払出制御手段におけるステップＳ７０７〜ステップＳ７０９の条件）がすべて成立したときに、変動データ記憶手段に保存されていた記憶内容にもとづいて制御状態を復旧させる復旧処理を実行し、複数の復旧条件のうち少なくとも１つの条件が不成立であったときに初期化処理を実行するように構成されていてもよい。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】変更
【補正の内容】
【００１７】
払出制御手段からの信号を出力するための出力ポート（例えば、図１５、図１６、図４４に示す出力ポート）を含み、払出制御手段が、電力供給停止時処理にて、出力ポートの出力状態を初期化する出力ポートクリア処理（例えばステップＳ４５９〜ステップＳ４６５の処理、ステップＳ８０９〜ステップＳ８１５の処理）を実行した後、払出遊技媒体検出手段からの検出信号の入力処理を行うように構成されていてもよい。
【手続補正６】
【補正対象書類名】明細書
【補正対象項目名】００１８
【補正方法】変更
【補正の内容】
【００１８】
払出制御手段が、電力供給停止時処理にて、払出遊技媒体検出手段からの検出信号の入力処理を実行した後、変動データ記憶手段へのアクセスを禁止する処理（例えばステップＳ４９８、ステップＳ８４６）を実行するように構成されていてもよい。
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２３
【補正方法】変更
【補正の内容】
【００２３】
遊技制御手段が、初期化処理または復旧処理を実行した後、所定の払出禁止条件（例えば、下皿満タン状態であるときや、球切れ状態であるときなどの、遊技媒体の払い出しを行うことができないあるいは適当でない場合に成立する条件）が成立したときに遊技媒体の払出を禁止することを指示する払出禁止状態指定コマンドを送信し、払出禁止条件は複数設けられ、遊技制御手段が、複数の払出禁止条件について共通の払出禁止状態指定コマンドを送信する（例えばステップステップＳ１６１〜Ｓ１６４）ように構成されていてもよい。
【手続補正１０】
【補正対象書類名】明細書
【補正対象項目名】００２４
【補正方法】変更
【補正の内容】
【００２４】
遊技制御手段が、複数の払出禁止条件のうちいずれか一つの条件が成立したときに払出禁止状態指定コマンドを送信し、払出禁止条件が解除され、いずれの払出禁止条件も成立していない状態になったときに、複数の払出禁止条件のうちいずれの条件が成立していたかに関わらず、遊技媒体の払い出しを許可することを示す共通の払出許可状態指定コマンド（例えば払出可能状態指定コマンド）を送信する（例えばステップステップＳ１６５〜Ｓ１６８）ように構成されていてもよい。
【手続補正１１】
【補正対象書類名】明細書
【補正対象項目名】００２５
【補正方法】変更
【補正の内容】
【００２５】
払い出された遊技媒体が貯留される貯留部（例えば余剰球受皿４）に所定量以上の遊技媒体が貯留されているか否かを検出するための貯留状態検出手段（例えば満タンスイッチ４８）を備え、払出禁止条件が、貯留状態検出手段により貯留部に所定量以上の遊技媒体が貯留されているときに成立する条件を含むように構成されていてもよい。
【手続補正１２】
【補正対象書類名】明細書
【補正対象項目名】００２６
【補正方法】変更
【補正の内容】
【００２６】
払出手段に供給される遊技媒体が所定量以上確保されているか否かを検出するための遊技媒体切れ検出手段（例えば球切れスイッチ１８７）を含み、払出禁止条件に、遊技媒体切れ検出手段により遊技媒体が所定量以上確保されていないことが検出されたときに成立する条件を含むように構成されていてもよい。
【手続補正１３】
【補正対象書類名】明細書
【補正対象項目名】０６７５
【補正方法】変更
【補正の内容】
【０６７５】
【発明の効果】
以上のように、請求項１記載の発明によれば、遊技制御手段および払出制御手段が、電力供給停止時処理にて、補助電力供給手段から電力が供給される払出遊技媒体検出手段からの検出信号の入力処理を行い、所定の復旧条件が成立しなかったときには制御状態を初期化する初期化処理を実行し、払出制御手段が、電力供給が開始され復旧処理を実行するときおよび電力供給が開始され初期化処理を実行するときのいずれのときにおいても遊技媒体の払い出しを禁止する払出禁止状態に制御し、遊技制御手段からの所定のコマンドの受信に応じて払出禁止状態を解除し、遊技制御手段および払出制御手段が、電力供給停止時処理にて払出遊技媒体検出手段からの検出信号の入力処理の結果を示すデータを変動データ記憶手段に保存し、復旧処理にて入力処理の結果を示すデータにもとづいて未払出数データを更新する処理を実行するように構成にしたので、電力供給停止時処理において、払い出された遊技媒体を確実に検出することが可能となる。また、電力供給開始時に、遊技制御手段と払出制御手段とでそれぞれ把握している遊技媒体の払出に関する情報の内容に食い違いが生じてしまうことを防止することができるという効果がある。さらに、電力供給停止時処理での入力処理を迅速に行うことができる。また、遊技制御手段が制御を開始したことが確定したあとに払出禁止状態を解除することができ、遊技制御手段が起動するより先に払出制御手段が起動して払出処理を開始してしまうことを確実に防止することができる。
【手続補正１４】
【補正対象書類名】明細書
【補正対象項目名】０６７６
【補正方法】変更
【補正の内容】
【０６７６】
請求項２記載の発明では、払出制御手段が、電力供給が復帰したときには、電力供給が停止する前の制御状態に復旧させるか否かを決定するための複数の復旧条件がすべて成立したときに、変動データ記憶手段に保存されていた記憶内容にもとづいて制御状態を復旧させる復旧処理を実行し、複数の復旧条件のうち少なくとも１つの条件が不成立であったときに初期化処理を実行するように構成されているので、不確実な状態から制御状態が復旧してしまうことが低減される。
【手続補正１５】
【補正対象書類名】明細書
【補正対象項目名】０６７７
【補正方法】削除
【補正の内容】
【手続補正１６】
【補正対象書類名】明細書
【補正対象項目名】０６７８
【補正方法】変更
【補正の内容】
【０６７８】
請求項３記載の発明では、払出制御手段が、電力供給停止時処理にて、出力ポートの出力状態を初期化する出力ポートクリア処理を実行した後、払出遊技媒体検出手段からの検出信号の入力処理を行うように構成されているので、払出遊技媒体検出手段からの検出信号の入力処理に関連しない電気部品により電力が消費されてしまうことを回避することができる。
【手続補正１７】
【補正対象書類名】明細書
【補正対象項目名】０６７９
【補正方法】変更
【補正の内容】
【０６７９】
請求項４記載の発明では、払出制御手段が、電力供給停止時処理にて、払出遊技媒体検出手段からの検出信号の入力処理を実行した後、変動データ記憶手段へのアクセスを禁止する処理を実行するように構成されているので、電力供給停止時処理後に変動データ記憶手段の内容が破壊されること等を防止することができる。
【手続補正１８】
【補正対象書類名】明細書
【補正対象項目名】０６８０
【補正方法】変更
【補正の内容】
【０６８０】
請求項５記載の発明では、検出維持期間が、払出手段により払い出された払出遊技媒体が払出遊技媒体検出手段の検出位置に到達するまでの期間以上の期間に設定されているので、払い出された遊技媒体を確実に検出することができる。
【手続補正１９】
【補正対象書類名】明細書
【補正対象項目名】０６８１
【補正方法】削除
【補正の内容】
【手続補正２０】
【補正対象書類名】明細書
【補正対象項目名】０６８２
【補正方法】削除
【補正の内容】
【手続補正２１】
【補正対象書類名】明細書
【補正対象項目名】０６８３
【補正方法】変更
【補正の内容】
【０６８３】
請求項６記載の発明では、遊技制御手段が、復旧処理にて、遊技媒体の払い出しを禁止するか許可するかを指定する払出状態指定コマンドを、払出制御手段に対して送信するように構成されているので、実際の遊技機の状態に応じて、払出制御手段の制御状態を復旧させることができる。
【手続補正２２】
【補正対象書類名】明細書
【補正対象項目名】０６８４
【補正方法】変更
【補正の内容】
【０６８４】
請求項７記載の発明では、払出禁止条件が複数設けられ、遊技制御手段が、複数の払出禁止条件について共通の払出禁止状態指定コマンドを送信するように構成されているので、払い出しを許可することを指定するコマンドの数を最小限にすることができ、遊技制御手段から払出制御手段に対する遊技媒体の払い出しに関する情報伝達に関する負荷が低減される。
【手続補正２３】
【補正対象書類名】明細書
【補正対象項目名】０６８５
【補正方法】変更
【補正の内容】
【０６８５】
請求項８記載の発明では、遊技制御手段が、複数の払出禁止条件のうちいずれか一つの条件が成立したときに払出禁止状態指定コマンドを送信し、払出禁止条件が解除され、いずれの払出禁止条件も成立していない状態になったときに、複数の払出禁止条件のうちいずれの条件が成立していたかに関わらず遊技媒体の払い出しを許可することを示す共通の払出許可状態指定コマンドを送信するように構成されているので、遊技制御手段から払出制御手段に対する情報伝達に関する負荷がさらに低減される。
【手続補正２４】
【補正対象書類名】明細書
【補正対象項目名】０６８６
【補正方法】変更
【補正の内容】
【０６８６】
請求項９記載の発明では、払出禁止条件が、貯留状態検出手段により貯留部に所定量以上の遊技媒体が貯留されているときに成立する条件を含むように構成されているので、貯留部に所定量以上の遊技媒体が貯留されているにも関わらず、払出制御手段が遊技媒体の払出処理を実行してしまうことを防止することができる。
【手続補正２５】
【補正対象書類名】明細書
【補正対象項目名】０６８７
【補正方法】変更
【補正の内容】
【０６８７】
請求項１０記載の発明では、払出禁止条件が、遊技媒体切れ検出手段により遊技媒体が所定量以上確保されていないことが検出されたときに成立する条件を含むように構成されているので、払出手段に供給される遊技媒体が所定量以上確保されていないにも関わらず、払出制御手段が遊技媒体の払出処理を実行してしまうことを防止することができる。
【手続補正２６】
【補正対象書類名】明細書
【補正対象項目名】０６８８
【補正方法】変更
【補正の内容】
【０６８８】
請求項１１記載の発明では、払出遊技媒体検出手段の検出信号が、遊技制御手段と払出制御手段の双方に入力されるように構成されているので、遊技媒体の払い出し状況を複数の制御手段で管理することができ、より正確な遊技媒体の管理が可能となる。
【手続補正２７】
【補正対象書類名】明細書
【補正対象項目名】０６８９
【補正方法】変更
【補正の内容】
【０６８９】
請求項１２記載の発明では、電源監視手段が、払出遊技媒体検出手段に供給される電源の電圧値よりも高い電圧値の電源を監視するように構成されているので、電源監視手段による検出信号の出力前に払出遊技媒体検出手段の機能が停止してしまうことを防止することができる。